(57)【要約】【課題】干渉の発生又は影響を抑制すること。【解決手段】制御装置は、１つのデータを繰り返し送信する端末装置に対して当該繰り返し送信のために使用すべきパラメータであって、事前に割り当てられた無線リソースを用いてスケジューリング要求を送信せずに信号を送信する場合に設定される第１のパラメータと、スケジューリング要求を送信したことに応じて割り当てられた無線リソースを用いて信号を送信する場合に設定される第２のパラメータとの少なくともいずれかを含んだパラメータを通知する。第１のパラメータは、第２のパラメータに含まれない設定要素を含む。【選択図】  図８
2020150375.tif 000002
【特許請求の範囲】
【請求項１】
１つのデータを繰り返し送信する端末装置に対して当該繰り返し送信のために使用すべきパラメータであって、事前に割り当てられた無線リソースを用いてスケジューリング要求を送信せずに信号を送信する場合に設定される第１のパラメータと、前記スケジューリング要求を送信したことに応じて割り当てられた無線リソースを用いて信号を送信する場合に設定される第２のパラメータとの少なくともいずれかを含んだ前記パラメータを通知する通知手段を有し、
前記第１のパラメータは、前記第２のパラメータに含まれない設定要素を含む、
ことを特徴とする制御装置。
【請求項２】
前記通知手段は、複数の前記第１の端末装置のそれぞれに対して、異なるパラメータを通知する、ことを特徴とする請求項１に記載の制御装置。
【請求項３】
前記設定要素は、
前記繰り返し送信における少なくとも２回の送信の間の時間間隔、
前記繰り返し送信における少なくとも２回の送信のそれぞれで用いる少なくとも２つの周波数リソース、
前記繰り返し送信における少なくとも２回の送信のそれぞれで用いるプリコーディングの設定、
前記繰り返し送信における少なくとも２回の送信のそれぞれで用いるＮＯＭＡ（Non-Orthogonal Multiple Access）識別子、
前記繰り返し送信における少なくとも２回の送信のそれぞれで用いる復調参照信号の送信ポート、
前記繰り返し送信における少なくとも２回の送信のそれぞれで用いる復調参照信号のconfiguration type、
前記繰り返し送信における少なくとも２回の送信のそれぞれで用いる追加の復調参照信号の配置、
前記繰り返し送信における少なくとも２回の送信のそれぞれで用いる追加の復調参照信号のシンボル数、
前記繰り返し送信における少なくとも２回の送信のそれぞれで位相追跡参照信号を用いるか否か、
前記繰り返し送信における少なくとも２回の送信のそれぞれで位相追跡参照信号が配置される密度、
の少なくともいずれかを指定する要素を含む、ことを特徴とする請求項１又は２に記載の制御装置。
【請求項４】
前記繰り返し送信における少なくとも２回の送信のそれぞれで用いるべき、前記設定要素を含んだパラメータの１つ以上の組み合わせを含んだテーブルを保持する保持手段をさらに有する、ことを特徴とする請求項１から３のいずれか１項に記載の制御装置。
【請求項５】
前記通知手段は、前記テーブルから、前記１つ以上の組み合わせのうちのいずれの組み合わせを用いるべきかを示す情報を前記第１の端末装置へ通知する、ことを特徴とする請求項４に記載の制御装置。
【請求項６】
制御装置から、１つのデータを繰り返し送信するために使用すべきパラメータであって、事前に割り当てられた無線リソースを用いてスケジューリング要求を送信せずに信号を送信する場合に設定される第１のパラメータと、前記スケジューリング要求を送信したことに応じて割り当てられた無線リソースを用いて信号を送信する場合に設定される第２のパラメータとの少なくともいずれかを含んだ前記パラメータを受信する受信手段と、
前記受信手段によって受信した前記パラメータに基づいて、前記繰り返し送信により１つのデータを送信する送信手段と、
を有し、
前記第１のパラメータは、前記第２のパラメータに含まれない設定要素を含む、
ことを特徴とする端末装置。
【請求項７】
前記設定要素は、
前記繰り返し送信における少なくとも２回の送信の間の時間間隔、
前記繰り返し送信における少なくとも２回の送信のそれぞれで用いる少なくとも２つの周波数リソース、
前記繰り返し送信における少なくとも２回の送信のそれぞれで用いるプリコーディングの設定、
前記繰り返し送信における少なくとも２回の送信のそれぞれで用いるＮＯＭＡ（Non-Orthogonal Multiple Access）識別子、
前記繰り返し送信における少なくとも２回の送信のそれぞれで用いる復調参照信号の送信ポート、
前記繰り返し送信における少なくとも２回の送信のそれぞれで用いる復調参照信号のconfiguration type、
前記繰り返し送信における少なくとも２回の送信のそれぞれで用いる追加の復調参照信号の配置、
前記繰り返し送信における少なくとも２回の送信のそれぞれで用いる追加の復調参照信号のシンボル数、
前記繰り返し送信における少なくとも２回の送信のそれぞれで位相追跡参照信号を用いるか否か、
前記繰り返し送信における少なくとも２回の送信のそれぞれで位相追跡参照信号が配置される密度、
の少なくともいずれかを指定する要素を含む、ことを特徴とする請求項６に記載の端末装置。
【請求項８】
前記繰り返し送信における少なくとも２回の送信のそれぞれで用いるべき、前記設定要素を含んだパラメータの１つ以上の組み合わせを含んだテーブルを保持する保持手段をさらに有する、ことを特徴とする請求項６又は７に記載の端末装置。
【請求項９】
前記受信手段は、前記テーブルに含まれる前記１つ以上の組み合わせのうちのいずれの組み合わせを用いるべきかを示す情報を受信し、
前記送信手段は、事前に割り当てられた無線リソースを用いて前記繰り返し送信を実行する場合、当該情報に基づいて特定される前記第１のパラメータを用いて、１つのデータを前記繰り返し送信によって送信する、
ことを特徴とする請求項８に記載の端末装置。
【請求項１０】
制御装置によって実行される制御方法であって、
１つのデータを繰り返し送信する端末装置に対して当該繰り返し送信のために使用すべきパラメータであって、事前に割り当てられた無線リソースを用いてスケジューリング要求を送信せずに信号を送信する場合に設定される第１のパラメータと、前記スケジューリング要求を送信したことに応じて割り当てられた無線リソースを用いて信号を送信する場合に設定される第２のパラメータとの少なくともいずれかを含んだ前記パラメータを通知する通知工程を含み、
前記第１のパラメータには、前記第２のパラメータに含まれない設定要素を含む、
ことを特徴とする制御方法。
【請求項１１】
端末装置によって実行される通信方法であって、
制御装置から、１つのデータを繰り返し送信するために使用すべきパラメータであって、事前に割り当てられた無線リソースを用いてスケジューリング要求を送信せずに信号を送信する場合に設定される第１のパラメータと、前記スケジューリング要求を送信したことに応じて割り当てられた無線リソースを用いて信号を送信する場合に設定される第２のパラメータとの少なくともいずれかを含んだ前記パラメータを受信する受信工程と、
前記受信工程において受信した前記パラメータに基づいて、前記繰り返し送信により１つのデータを送信する送信工程と、
を含み、
前記第１のパラメータには、前記第２のパラメータに含まれない設定要素を含む、
ことを特徴とする通信方法。
【請求項１２】
制御装置に備えられたコンピュータに、１つのデータを繰り返し送信する端末装置に対して当該繰り返し送信のために使用すべきパラメータであって、事前に割り当てられた無線リソースを用いてスケジューリング要求を送信せずに信号を送信する場合に設定される第１のパラメータと、前記スケジューリング要求を送信したことに応じて割り当てられた無線リソースを用いて信号を送信する場合に設定される第２のパラメータとの少なくともいずれかを含んだ前記パラメータを通知させるためのプログラムであって、
前記第１のパラメータは、前記第２のパラメータに含まれない設定要素を含む、
ことを特徴とするプログラム。
【請求項１３】
端末装置に備えられたコンピュータに、
制御装置から、１つのデータを繰り返し送信するために使用すべきパラメータであって、事前に割り当てられた無線リソースを用いてスケジューリング要求を送信せずに信号を送信する場合に設定される第１のパラメータと、前記スケジューリング要求を送信したことに応じて割り当てられた無線リソースを用いて信号を送信する場合に設定される第２のパラメータとの少なくともいずれかを含んだ前記パラメータを受信させ、
受信した前記パラメータに基づいて、前記繰り返し送信により１つのデータを送信させる、
ためのプログラムであって、
前記第１のパラメータは、前記第２のパラメータに含まれない設定要素を含む、
ことを特徴とするプログラム。
【発明の詳細な説明】
【技術分野】
【０００１】
本発明は、１つのデータを繰り返し送信する際のパラメータ設定技術に関する。
【背景技術】
【０００２】
３ＧＰＰ（第３世代パートナーシッププロジェクト）において、第５世代（５Ｇ）のセルラ通信システムの規格の策定されている。この規格では、端末装置（ＵＥ）が、スケジューリング要求を送信することによって割り当てられた無線リソース（周波数／時間リソース）を用いて信号を送信する仕組みに加えて、予め割り当てられた無線リソースを用いてスケジューリング要求を送信することなく信号を送信する仕組み（Configured grant）が規定されている（非特許文献１参照）。
【先行技術文献】
【非特許文献】
【０００３】
【非特許文献１】３ＧＰＰ、ＴＳ３８．３３１、Ｖ１５．３．０、２０１８年９月
【発明の概要】
【発明が解決しようとする課題】
【０００４】
３ＧＰＰでは、さらに、カバレッジエリアの拡張等のために、１つのデータを繰り返し送信する手法も規定されている。上述のようなConfigured grantによって事前にＵＥに無線リソースが割り当てられるときに繰り返し送信が用いられると、繰り返し送信に使用される無線リソースで、他のＵＥも信号を送信することによる干渉が発生しうる。また、このような干渉に対して、受信装置である基地局が信号処理を行って複数の信号を分離することができるが、その際の信号処理のための演算リソースの増大が問題となりうる。
【０００５】
本発明は、干渉の発生又は影響を抑制する技術を提供する。
【課題を解決するための手段】
【０００６】
本発明の一態様における制御装置は、１つのデータを繰り返し送信する端末装置に対して当該繰り返し送信のために使用すべきパラメータであって、事前に割り当てられた無線リソースを用いてスケジューリング要求を送信せずに信号を送信する場合に設定される第１のパラメータと、前記スケジューリング要求を送信したことに応じて割り当てられた無線リソースを用いて信号を送信する場合に設定される第２のパラメータとの少なくともいずれかを含んだ前記パラメータを通知する通知手段を有し、前記第１のパラメータは、前記第２のパラメータに含まれない設定要素を含む、ことを特徴とする。
【０００７】
本発明の一態様における端末装置は、制御装置から、１つのデータを繰り返し送信するために使用すべきパラメータであって、事前に割り当てられた無線リソースを用いてスケジューリング要求を送信せずに信号を送信する場合に設定される第１のパラメータと、前記スケジューリング要求を送信したことに応じて割り当てられた無線リソースを用いて信号を送信する場合に設定される第２のパラメータとの少なくともいずれかを含んだ前記パラメータを受信する受信手段と、前記受信手段によって受信した前記パラメータに基づいて、前記繰り返し送信により１つのデータを送信する送信手段と、を有し、前記第１のパラメータは、前記第２のパラメータに含まれない設定要素を含む、ことを特徴とする。
【発明の効果】
【０００８】
本発明によれば、干渉の発生又は影響を抑制することができる。
【図面の簡単な説明】
【０００９】
【図１】無線通信システムの構成例を示す図である。
【図２】繰り返し送信のパラメータ設定の例を説明する図である。
【図３】繰り返し送信のパラメータ設定の例を説明する図である。
【図４】パラメータを定義したテーブルの例を示す図である。
【図５】制御装置及び端末装置のハードウェア構成例を示す図である。
【図６】制御装置の機能構成例を示す図である。
【図７】端末装置の機能構成例を示す図である。
【図８】無線通信システムで実行される処理の流れの例を示す図である。
【図９】無線通信システムで実行される処理の流れの例を示す図である。
【発明を実施するための形態】
【００１０】
以下、添付図面を参照して実施形態を詳しく説明する。なお、以下の実施形態は特許請求の範囲に係る発明を限定するものでなく、また実施形態で説明されている特徴の組み合わせの全てが発明に必須のものとは限らない。実施形態で説明されている複数の特徴のうち２つ以上の特徴が任意に組み合わされてもよい。また、同一若しくは同様の構成には同一の参照番号を付し、重複した説明は省略する。
【００１１】
（システム構成）
図１に、本実施形態に係る無線通信システムの構成例を示す。本実施形態に係る無線通信システムは、一例において、基地局１０１と、その基地局１０１と接続して通信を行うことができる端末装置１０２〜端末装置１０４とを含んで構成される。なお、基地局の数は２つ以上であってもよいし、端末装置の台数は２台以下または４台以上であってもよい。基地局１０１は、一例において、端末装置１０２及び端末装置１０３に対して、予め上りリンクの信号（例えば、物理上りリンク共有チャネル、ＰＵＳＣＨ）を送信するための無線リソースを割り当てておく。端末装置１０２及び端末装置１０３は、上りリンクで送信すべきデータが存在する場合、基地局１０１へスケジューリング要求を送信することなく、その事前に割り当てられた無線リソースを用いて信号（例えばＰＵＳＣＨ）を送信することができる。このような無線リソースの事前割り当ては、Configured grantと呼ばれる。一方、端末装置１０４には、事前に無線リソースが割り当てられていないものとする。端末装置１０４は、送信対象のデータが発生した場合に、基地局１０１へスケジューリング要求を送信し、それに応じて割り当てられた無線リソースを用いてそのデータを送信することができる。また、無線通信システムは、通信の制御を行う制御装置１１１を含み、制御装置１１１によって、基地局１０１と端末装置１０２〜端末装置１０４との間の通信が制御される。なお、本実施形態では、制御装置１１１が基地局１０１の内部に存在し、特に区別する必要がない場合には、基地局１０１が制御装置１１１の処理を実行するものとして説明するが、制御装置１１１は、例えばコアネットワーク内のネットワークノード等、基地局１０１の外部に存在する装置であってもよい。
【００１２】
端末装置１０２〜端末装置１０４は、１つのデータ（ユーザデータ、制御データ）を複数回繰り返し送信しうる。なお、ここでの１つのデータの繰り返し送信は、復号結果として１つのデータが得られるような信号が複数回送信されることを意味し、同一の信号が複数回送信されることを必ずしも意味しない。例えば、１つのデータを符号化した結果として複数のリダンダンシバージョンに対応する複数の信号が生成され、それらの複数の信号が順次送信されうる。このような繰り返し送信によって得られる利得により、通信品質の改善やカバレッジエリアの拡大等が実現されうる。端末装置１０２〜端末装置１０４は、繰り返し送信回数と、繰り返し送信時のリダンダンシバージョン、繰り返し送信を含むリソース位置の周期、及びその他の上りリンク送信に必要な情報を含んだパラメータを、基地局１０１からの信号によって取得する。この信号は、ＲＲＣ（無線リソース制御）シグナリングによって、基地局１０１から端末装置へ送信される。
【００１３】
端末装置１０４は、一例において、スケジューリング要求を送信したことに応じて基地局１０１から送信されるＲＲＣメッセージに含まれる情報として、上述のパラメータを受信しうる。端末装置１０４は、このパラメータを用いて、上りリンク信号を送信する。一方、端末装置１０２及び端末装置１０３は、送信対象データが発生する前に、基地局１０１からのＲＲＣメッセージを介して、上述のパラメータと、データ送信のために利用可能な無線リソース（周波数／時間リソース）の割り当て設定を受信しうる。これにより、端末装置１０２及び端末装置１０３は、Configured grant設定がなされた状態に遷移する。そして、端末装置１０２及び端末装置１０３は、事前に割り当てられた無線リソースを使用して上りリンク信号を送信することができる。
【００１４】
無線リソースの事前割り当てでは、同じ無線リソースが複数の端末装置によって使用されることが許容されうる。すなわち、端末装置において送信対象データが発生するか否かは予測不能であるため、無線リソースの有効利用の観点から、複数の端末装置に重複する無線リソースを割り当てることがありうる。このとき、複数の端末装置がその重複する無線リソースを用いて信号を送信すると、それらの信号が互いに干渉し、基地局においてその信号の受信に失敗し、または、それらの信号の分離のために複雑な処理を実行する必要が生じうる。
【００１５】
このため、本実施形態の基地局１０１（制御装置１１１）は、無線リソースを事前割り当てすると共に、繰り返し送信がその事前割り当てされた無線リソースで実行されうる場合、その繰り返し送信による干渉の影響を低減するための追加のパラメータを設定する。このため、基地局１０１は、スケジューリング要求に応じて無線リソースが割り当てられる端末装置１０４に対して設定されるパラメータに含まれない設定要素を含んだパラメータを、事前に無線リソースが割り当てられた端末装置１０２及び端末装置１０３へ通知する。端末装置１０２及び端末装置１０３は、事前に割り当てられた無線リソースで、受信したパラメータに従って繰り返し送信を実行する。なお、基地局１０１は、端末装置１０２へ通知するパラメータと、端末装置１０３へ通知するパラメータとを別個に設定する。すなわち、端末装置１０２と端末装置１０３は、それぞれ固有のパラメータが設定される。一例において、これらの装置からの信号が同じ無線リソースを使用して送信されたとしても、干渉の影響が十分に低く抑えられるように、複数の端末装置のそれぞれに対してそれぞれ異なるパラメータが設定される。
【００１６】
追加の設定要素は、例えば、一連の繰り返し送信における少なくとも２回の送信の間の時間間隔の指定を含む。すなわち、例えば繰り返し回数が２回の場合、１つのデータに対応する信号を２回送信することとなるが、その２回の送信のうちの１回目と２回目との間隔が、追加の設定要素として通知されうる。例えば２つ以上の端末装置の１回目の送信タイミングが一致したとしても、これらの２つ以上の端末装置のそれぞれに対して異なる時間間隔が設定されることにより、２回目の送信タイミングをずらすことができる。この結果、干渉の影響を低減することができる。
【００１７】
また、追加の設定要素は、一連の繰り返し送信における少なくとも２回の送信のそれぞれで用いる少なくとも２つの周波数リソースの指定を含む。すなわち、繰り返し送信の間、同じ周波数を使用し続けるのではなく、繰り返し送信される信号のうちの少なくともいずれかが、１回目に送信される信号と異なる周波数リソースで、すなわち、周波数軸上で分散して送信される。このような周波数軸上での分散送信により、２つの端末装置がそれぞれ送信する信号が干渉する確率を低減することができる。
【００１８】
ここで、一連の繰り返し送信において送信される信号の時間間隔及び周波数軸上での分散配置の例を、図２を用いて説明する。図２には２種類の設定が示されている。図２の設定１は、繰り返し数が４回であり、初回送信される信号と合わせて、１つのデータに対応する信号が５回送信される設定の例を示している。なお、この繰り返し数は、無線リソースが事前に割り当てられているか否かによらずに設定される要素である。設定１では、追加の設定要素である時間間隔と周波数ホッピングが、それぞれ１に設定されている。時間間隔は、一連の繰り返し送信において１つの信号が送信された後に、次の信号が送信されるタイミングとの間に、どれだけの時間間隔を空けるかを示す要素である。時間間隔が「ｎ」に設定されると、１つの信号が送信された後に、ｎ個の信号に相当する時間を空けてから、次の信号を送信するように端末装置が設定される。また、ここでの周波数ホッピングは、周波数シフトを繰り返す回数を示している。すなわち、周波数ホッピングが１以上の数「ｍ−１」に設定されている場合は、一連の繰り返し送信において、１つの信号が送信された後に、次の信号が隣接する周波数リソースを使用して送信される。そして、ｍ−１回同様のことを行い、ｍ個目の信号が、初回送信された信号と周波数軸上で最も離れた位置で送信された後、ｍ＋１個目の信号が、初回送信された信号と同じ周波数で送信される。また、ｍ＋２個目以降の信号についても同様に周波数シフトし、２ｍ個目、３ｍ個目の信号が初回送信された信号と周波数軸上で最も離れた位置で送信され、２ｍ＋１個目、３ｍ＋１個目、…の信号が初回送信された信号と同じ周波数で送信される。図２の設定１では、周波数ホッピングが「１」に設定されているため、ｍ＝２であり、１個目、３個目、５個目の信号が同じ周波数で送信され、２個目及び４個目の信号は、これらとは異なる周波数で送信される。
【００１９】
図２の設定２も同様の追加の設定要素を含むが、ここでは、時間間隔が「０」であり、周波数ホッピングが「２」に設定されている。時間間隔が「０」であるため、一連の繰り返し送信における信号と信号との間は空けない。このため、時間的に連続して繰り返し送信の対象信号が送信される。一方、周波数ホッピングは「２」である。このため、１個目、４個目、７個目の信号が同じ周波数で送信され、２個目、５個目、８個目の信号がそれとは異なる周波数で送信される。さらに、３個目、６個目、９個目の信号は、１個目、４個目、７個目の信号のみならず、２個目、５個目、８個目の信号とも異なる周波数を用いて送信される。
【００２０】
図２の設定１と設定２は、初回送信時に使用される無線リソースが一致しており、同じ時間長で送信が行われるが、それぞれの２回目以降に送信される信号は、互いに干渉しない。このように、時間及び周波数領域で、繰り返し送信で使用される無線リソースを分散させることにより、干渉の影響を低減することができる。なお、上述の設定は一例に過ぎず、「時間間隔」や「周波数ホッピング」が用いられなくてもよい。すなわち、時間方向と周波数方向との少なくともいずれかで、送信される信号が分散的に送信されることができる限りにおいて、任意の形式で設定要素が定義されてもよい。一例では、複数の時間／周波数ホッピングパターンを事前に用意しておき、それらのうちのいずれを用いるかを、基地局が各端末装置に通知してもよい。
【００２１】
また、追加の設定要素は、一連の繰り返し送信における少なくとも２回の送信のそれぞれで用いるプリコーディングの設定の指定を含みうる。ここでの「プリコーディング」は、所定の指向特性を得るために複数のアンテナ素子からそれぞれ送出される信号に対して適切な重み係数を乗じることである。この設定要素によれば、信号を送信する方向が空間的に分散されるため、例えば、基地局において信号が所定以上の強度で到来する方向が分散される。この結果、２つ以上の端末装置が同時に信号を送信した場合であっても、繰り返し送信におけるいずれかの送信機会に送信された信号が空間的に分離可能な状態で基地局に到来するようにすることができる。この結果、干渉の影響を低減することができる。また、このようなプリコーディングによって、端末装置は、繰り返し送信における複数の信号を、２つ以上の基地局へ分散して送信することができる。この場合、各基地局が受信した信号は例えば１つの基地局又はネットワークノードに集約されて、繰り返し送信の利得を得ることができる。そして、複数の基地局へ信号が送信されることにより、基地局側において十分な空間分離能が用意されていない場合や、その基地局へ到達可能な複数のパスが設定できないような状態においても、干渉の影響を低減することができる。
【００２２】
また、追加の設定要素は、一連の繰り返し送信における少なくとも２回の送信のそれぞれで用いるＮＯＭＡ（Non-Orthogonal Multiple Access）識別子を指定する設定を含みうる。ＮＯＭＡ識別子は、例えば、基地局において複数の信号が同時に受信された場合に、これらの複数の信号を分離するのに使用されるシグネチャである。２つのシグネチャは、相互相関がゼロまたは十分に小さくなるように生成される。これにより、互いに干渉する２つの信号を分離することが可能となる。その一方で、２つの端末装置が同じＮＯＭＡ識別子を使用して信号を送信した場合等には、これらの端末装置からの信号を分離することは困難である。これに対して、追加の設定要素としてＮＯＭＡ識別子を含め、いずれかの端末装置が、例えば初回送信時のＮＯＭＡ識別子と、２回目以降の送信のうちの少なくともいずれかにおけるＮＯＭＡ識別子とを異ならしめることにより、信号の分離が困難な状況が発生する確率を低減することができる。
【００２３】
また、追加の設定要素は、一連の繰り返し送信における少なくとも２回の送信のそれぞれで用いる復調参照信号（ＤＭＲＳ）の送信ポートの指定を含む。また、追加の設定要素は、一連の繰り返し送信における少なくとも２回の送信のそれぞれで用いるＤＭＲＳのconfiguration typeの指定を含む。また、追加の設定要素は、一連の繰り返し送信における少なくとも２回の送信のそれぞれで用いる追加のＤＭＲＳの指定を含む。また、追加の設定要素は、一連の繰り返し送信における少なくとも２回の送信のそれぞれで用いる追加のＤＭＲＳのシンボル数の指定を含む。これらのＤＭＲＳに関する追加の設定により、少なくとも２つの端末装置が繰り返し送信を行う際に、全ての信号で同じＤＭＲＳの設定を使用することがなくなるため、干渉の影響を低減することができる。一例として、図３に、ＤＭＲＳの送信ポートの設定の例を示す。図３の例では、２つのポートを、奇数回目（初回、３回目、５回目…）の送信と、偶数回目（２回目、４回目、６回目）の送信とで切り替えて使用する例を示している。ポートを切り替えることにより、ＤＭＲＳの周波数／時間リソースへのマッピングが切り替えられる。このように、端末装置が複数のポートの使用を切り替えてＤＭＲＳを送信することにより、例えば他の端末装置が同じポートを使用してＤＭＲＳを送信する場合に、繰り返し送信における半数の信号において２つの信号のＤＭＲＳが重なることを防ぐことができる。これにより、例えばチャネル推定が高精度化されることにより複数の信号の分離が高精度化され、干渉の影響を低減することができる。同様に、他の設定においても、２つの信号間でのＤＭＲＳの重複が生じないような設定が行われることで、干渉の影響を低減することができる。
【００２４】
また、追加の設定要素は、一連の繰り返し送信における少なくとも２回の送信のそれぞれで位相追跡参照信号を用いるか否かの指定を含む。また、追加の設定要素は、一連の繰り返し送信における少なくとも２回の送信のそれぞれで位相追跡参照信号が配置される密度の指定を含む。位相追跡参照信号を用いることにより、高速移動する端末装置の信号の（ＩＱ平面上での）位相の追跡を行うことが可能となる。このような位相追跡参照信号を用いる場合、この位相追跡参照信号が他の信号から受ける干渉の影響を低減する必要がある。このため、例えば繰り返し回数が少ない場合等で、干渉の分散が不十分となることが予想される場合等に、位相追跡参照信号の高密度化を行うなど、所定の処理を行うことで、干渉の影響を低減することが可能となる。また、例えばＤＭＲＳへの干渉が発生する環境において、その干渉の影響を低減するのに位相追跡参照信号を用いるような設定が行われてもよい。
【００２５】
なお、上述の追加の設定要素を指定する情報を、基地局と端末装置とに共通なテーブルとして用意しておき、基地局は、端末装置へ、そのテーブルに含まれる１つの組み合わせを指定するインデクスを、使用すべき設定の情報として通知してもよい。このテーブルの例を図４に示す。図４に示すように、テーブルには、各インデクスに対して、時間間隔、周波数位置、…などの設定が規定され、基地局から端末装置へはテーブル内のインデクスを指定する情報が送信され、端末装置は、受信したインデクスに応じて繰り返し送信の設定を特定しうる。なお、図４の形式は一例に過ぎず、設定を特定可能な限りにおいて、任意の形式のテーブルが用いられてもよい。例えば、図４では、追加の設定要素についてのテーブルを示しているが、Configured grantが用いられない端末装置においても使用される繰り返し送信のための基本的なパラメータについても、テーブルに含まれてもよい。なお、Configured grantが用いられる端末装置と、Configured grantが用いられない端末装置とのそれぞれのためのテーブルが別個に用意されてもよい。
【００２６】
また、上述の追加の設定要素は、ＲＲＣシグナリングの際に基地局から端末装置へ提供されてもよいし、例えば物理下りリンク制御チャネル（ＰＤＣＣＨ）の下りリンク制御情報（ＤＣＩ）によって提供されてもよい。この場合、ＲＲＣシグナリング時には、Configured grantが用いられるか否かによらない共通の設定（例えば繰り返し送信回数、繰り返し送信時のリダンダンシバージョン、繰り返し送信を含むリソース位置の周期等）が端末装置へ通知され、後に、Configured grantが用いられる端末装置に対してＤＣＩ等によって追加の設定要素が指定されうる。
【００２７】
なお、制御装置は、端末装置に対して、パラメータの組み合わせを２つ以上通知してもよい。すなわち、制御装置は、一例において、Configured grantが用いられる端末装置１０２及び端末装置１０３に対して、追加の設定要素を含んだパラメータのセットを複数通知し、Configured grantが用いられない端末装置１０４に対して、追加の設定要素を含まないパラメータのセットを複数通知しうる。なお、制御装置は、Configured grantが用いられる端末装置に対してのみ、パラメータのセットを２つ以上通知してもよい。例えば、制御装置は、上述のようなテーブルを用いて、２つ以上のインデクスを端末装置へ通知しうる。なお、このパラメータの通知は、例えばＲＲＣシグナリングや、ＰＤＣＣＨによって、制御装置（基地局）から端末装置へ通知されうる。端末装置は、パラメータのセットを２つ以上受信した場合、その２つ以上のセットのうちの１つを用いて、事前設定された無線リソースで、繰り返し送信を実行しうる。
【００２８】
また、制御装置は、例えば端末装置が初期的に使用すべきパラメータの第１のセットを指定する。この場合、端末装置は、制御装置から特段の指示がない限りは第１のセットを用いて、事前設定された無線リソースで、繰り返し送信を実行しうる。なお、制御装置は、第１のセットの使用を端末装置へ指示しなくてもよい。この場合、端末装置は、例えば、上りリンクで送信する信号に、使用するパラメータのセットを示す情報を含めて送信しうる。これにより、基地局は、端末装置がどのセットを用いて上りリンク信号を送信しているかを認識することができる。なお、端末装置によって使用されるべきパラメータのセットを基地局が指定している場合は、端末装置は、使用するパラメータのセットを示す情報を基地局へ通知する必要はない。
【００２９】
制御装置は、さらに、使用するパラメータのセットを変更すべきことを端末装置へ指示しうる。端末装置は、この指示に従って、現在使用しているパラメータの第１のセットを、その第１のセットと異なる第２のセットへ変更しうる。そして、端末装置は、変更したパラメータの第２のセットを用いて、繰り返し送信を実行しうる。なお、制御装置は、上述の指示を行う際に、変更後に使用すべき第２のセットを指定してもよいし、第２のセットを指定しなくてもよい。端末装置は、第２のセットの指定がなかった場合、例えば、使用するパラメータのセットの変更後に、その変更後のパラメータのセットを示す情報を、上りリンク信号に含めて送信しうる。これにより、基地局は、端末装置が使用するパラメータのセットをどのセットとしたかを認識することができる。なお、端末装置は、第２のセットの指定があった場合は、変更後のパラメータのセットを示す情報を基地局へ通知する必要はない。
【００３０】
なお、使用するパラメータのセットの変更指示は、ＰＤＣＣＨを用いて送信されうる。一例において、制御装置は、ＲＲＣメッセージにより、少なくとも２つのパラメータのセットと、初期的に使用すべきパラメータのセットを指定する情報を端末装置へ通知する。その後、制御装置は、ＰＤＣＣＨを用いて、その端末装置に対するＤＣＩにより、使用すべきパラメータのセットの変更を指示する。なお、使用すべきパラメータのセットの変更指示は、ＲＲＣメッセージを用いて送信されてもよい。例えば、RRC Connection Reconfigurationメッセージにより、使用すべきパラメータのセットの変更指示が端末装置へ送信される。
【００３１】
制御装置は、例えば、ある端末装置との通信に失敗する確率が所定値を上回っている場合や、その端末装置からの信号の無線品質が十分に確保できていない場合等に、使用すべきパラメータのセットの変更指示を、その端末装置へ送信しうる。また、制御装置は、例えば、無線リソースの使用状況に応じて、使用すべきパラメータのセットの変更指示を端末装置へ送信しうる。例えば、制御装置は、無線リソースの使用率が高い場合に、繰り返し回数の少ないパラメータのセットを使用するように、端末装置に指示を送信しうる。また、制御装置は、無線リソースのうち、所定の周波数リソースの使用率が高い場合に、その周波数リソースを使用しないパラメータのセットへの変更を、端末装置へ指示しうる。なお、これらは一例に過ぎず、制御装置は、様々な理由で、使用すべきパラメータのセットの変更指示を発行してもよい。また、端末装置は、上りリンクの信号送信に失敗する確率が所定値を上回った等の理由により、使用すべきパラメータのセットの変更要求を制御装置へ送信してもよい。制御装置は、この変更要求に応じて、その端末装置において使用すべきパラメータのセットの変更指示を、その端末装置へ送信しうる。また、制御装置は、この変更要求に応じて、例えばその端末装置の通信に干渉していることが推定される他の端末装置に対して、使用すべきパラメータのセットの変更指示を送信してもよい。端末装置からの変更要求は、一例において物理上りリンク制御チャネル（ＰＵＣＣＨ）又は物理上りリンク共有チャネル（ＰＵＳＣＨ）で送信されうる。なお、制御装置は、端末装置に、繰り返し送信の中断を指示してもよい。また、端末装置は、制御装置に、繰り返し送信の中断を要求してもよい。
【００３２】
また、端末装置は、上述のようにして、１つの基地局を介して設定された１つ以上のパラメータのセットを、ハンドオーバ後の別の基地局との通信においても引き続き使用するようにしてもよい。この場合、ハンドオーバ前の基地局との通信で使用されていたパラメータのセットが、ハンドオーバ後の基地局へ通知される。この通知は、例えば基地局外部の制御装置やそのハンドオーバ前の基地局が、そのパラメータのセットを指定する情報を、ハンドオーバ後の基地局へ送信することにより行われる。ハンドオーバ後の基地局は、この通知を用いて、端末装置から繰り返し送信された上りリンク信号を受信することができるようになる。
【００３３】
続いて、上述のような処理を実行する制御装置（基地局）及び端末装置の構成及び処理の流れの例について説明する。
【００３４】
（装置構成）
図５に、本実施形態に係る制御装置及び端末装置のハードウェア構成例を示す。制御装置及び端末装置は、一例において、プロセッサ５０１、ＲＯＭ５０２、ＲＡＭ５０３、記憶装置５０４、及び通信回路５０５を含んで構成される。プロセッサ５０１は、汎用のＣＰＵ（中央演算装置）や、ＡＳＩＣ（特定用途向け集積回路）等の、１つ以上の処理回路を含んで構成されるコンピュータであり、ＲＯＭ５０２や記憶装置５０４に記憶されているプログラムを読み出して実行することにより、装置の全体の処理や、上述の各処理を実行する。ＲＯＭ５０２は、装置が実行する処理に関するプログラムや各種パラメータ等の情報を記憶する読み出し専用メモリである。ＲＡＭ５０３は、プロセッサ５０１がプログラムを実行する際のワークスペースとして機能し、また、一時的な情報を記憶するランダムアクセスメモリである。記憶装置５０４は、例えば着脱可能な外部記憶装置等によって構成される。通信回路５０５は、例えば、有線通信又は無線通信用の回路によって構成される。制御装置は、例えば基地局装置内に含まれる場合には、基地局装置内の他の機能部と接続するための通信回路を有し、また、基地局装置外のネットワークノード内に含まれる場合は、基地局装置と通信するための有線通信回路を有する。制御装置は、基地局装置内に含まれる無線通信回路を介して、端末装置と通信することができる。また、端末装置は、基地局装置と通信するための無線通信回路を有する。なお、図５では、１つの通信回路５０５が図示されているが、制御装置及び端末装置は、複数の通信回路を有しうる。例えば、端末装置は、無線ＬＡＮやＢｌｕｅｔｏｏｔｈ（登録商標）等による通信のための通信回路をさらに有しうる。
【００３５】
図６に、制御装置の機能構成例を示す。制御装置は、一例において、通信制御部６０１、テーブル保持部６０２、設定通知部６０３、及び、設定変更指示部６０４を含んで構成される。通信制御部６０１は、端末装置との間の通信を制御する。例えば、通信制御部６０１は、制御装置が基地局に含まれる場合は、端末装置との間で無線リンクを確立して無線通信を行う。また、通信制御部６０１は、制御装置が基地局に含まれない場合には、基地局を介して端末装置との間で通信リンクを確立して通信を行う。テーブル保持部６０２は、例えば図４に示したような、追加の設定要素を少なくとも含んだ繰り返し送信に関するパラメータとインデクスとが関連付けられたテーブルを保持する。なお、制御装置は、テーブルを用いない場合には、テーブル保持部６０２を含まなくてもよい。設定通知部６０３は、通信制御部６０１を介して、端末装置に対して、繰り返し送信に関するパラメータを通知する。なお、設定通知部６０３は、Configured grantを用いる端末装置に対して通知するパラメータとして、Configured grantを用いない端末装置に対して通知される基本的なパラメータには含まれない追加の設定要素を含んだパラメータを通知しうる。なお、追加の設定要素は、基本的なパラメータと共に、例えばＲＲＣメッセージによって通知されてもよいし、基本的なパラメータとは別個に、例えばＰＤＣＣＨ（ＤＣＩ）等によって通知されてもよい。なお、追加の設定要素の詳細については上述の通りであるため、ここでは説明を省略する。設定通知部６０３は、１つの端末装置に対して、パラメータのセットを複数通知してもよい。設定変更指示部６０４は、設定通知部６０３がパラメータの複数のセットを端末装置へ通知している場合であって、その端末装置が設定変更をする必要があると判定した場合に、その端末装置に設定変更指示を送信する。このとき、設定変更指示部６０４は、変更後のパラメータのセットを指定する情報を端末装置へ送信してもよいし、そのような情報を送信しなくてもよい。設定変更指示は、一例において、ＲＲＣメッセージやＰＤＣＣＨ（ＤＣＩ）によって送信される。なお、設定変更指示部６０４は、端末装置からの設定変更要求を受信した場合に、設定変更指示を送信するようにしてもよい。
【００３６】
図７に、端末装置の機能構成例を示す。端末装置は、一例において、通信制御部７０１、設定受信部７０２、テーブル保持部７０３、変更指示受信部７０４、及び、通信設定部７０５を含んで構成される。通信制御部７０１は、基地局（及び制御装置）との間の通信を制御する。例えば、通信制御部７０１は、基地局との間で無線リンクを確立して無線通信を行う。設定受信部７０２は、制御装置からの設定情報を、通信制御部７０１を介して受信する。なお、端末装置は、Configured grantを用いる場合、Configured grantを用いない端末装置に対して通知される基本的なパラメータには含まれない追加の設定要素を含んだパラメータを受信しうる。このとき、追加の設定要素は、基本的なパラメータと共に又はこれはと別個に、受信されうる。テーブル保持部７０３は、テーブル保持部６０２が保持しているテーブルと共通のテーブル、又は、テーブル保持部６０２が保持しているテーブルの一部に対応するテーブルを保持する。なお、テーブル保持部７０３が、テーブル保持部６０２が保持しているテーブルの一部に対応するテーブルのみを保持している場合、制御装置は、このテーブルが、テーブル保持部６０２が保持しているテーブルのうちのどの部分に対応するかを認識しているものとする。そして、制御装置は、テーブル保持部７０３が保持しているテーブルのうちのいずれのインデクスに対応するパラメータを用いるかを指定する情報を、端末装置へ通知しうる。なお、テーブルが用いられない場合は、テーブル保持部７０３は省略されてもよい。変更指示受信部７０４は、制御装置から設定変更指示を受信する。
【００３７】
通信設定部７０５は、設定受信部７０２が受信した情報又は変更指示受信部７０４が受信した設定変更指示に基づいて、通信制御部７０１の通信設定を行う。本実施形態では、通信設定部７０５は、例えば、Configured grantが用いられていると共に繰り返し送信が行われる場合に、上述の基本的なパラメータと追加の設定要素とを用いて通信制御部７０１の設定を行う。一方、通信設定部７０５は、例えば、Configured grantが用いられていない状況で繰り返し送信が行われる場合に、上述の追加の設定要素を用いずに、基本的なパラメータを用いて、通信制御部７０１の設定を行う。なお、通信設定部７０５は、設定受信部７０２がパラメータのセットを複数受信していた場合、その複数のセットのうちの１つを用いて通信制御部７０１の設定を行う。なお初期的に使用するセットは、例えば制御装置から通知されうる。なお、この通知は、明示的な通知がなされてもよいし、例えば複数のセットの通知がインデクスの系列を用いて行われた場合にその系列の先頭のインデクスに対応するセットが初期的に使用されるセットとして認識されるなど、黙示的な通知がなされてもよい。また、通信設定部７０５は、変更指示受信部７０４が使用すべきパラメータのセットの変更指示を受信したことに応じて、それまで使用していたパラメータのセットから、別のパラメータのセットへの変更を行う。なお、この変更後のセットは、制御装置から明示的に通知されてもよいし、黙示的に通知されてもよい。例えば複数のセットの通知がインデクスの系列を用いて行われた場合に、その系列の現在使用しているセットに対応するインデクスの次のインデクスを特定し、その特定されたインデクスに対応するセットが設定変更後に使用されるセットとして特定されうる。また、通信設定部７０５は、制御装置からの変更後のパラメータのセットの指定がない場合、自律的に変更後のパラメータのセットを選択してもよい。
【００３８】
（処理の流れ）
続いて、本実施形態の無線通信システムで実行される処理の流れについて、図８を用いて概説する。なお、図８の処理では、基地局と端末装置との間の通信に着目して図解されている。すなわち、制御装置が基地局に含まれない場合は、制御装置から基地局へ設定情報が送信され、その設定情報が端末装置へ転送されるが、ここでは、その制御装置と基地局との間の通信については、説明を簡単にするために省略している。図８の処理では、まず、基地局が、ＲＲＣメッセージにより、無線リソースの事前割り当て設定と、繰り返し送信時の設定とを示す情報を端末装置へ通知する（Ｓ８０１）。なお、ここでは、端末装置が無線リソースの事前割り当てを受ける（すなわち、Configured grantが用いられる）ため、上述の追加の設定要素をも含んだパラメータが、端末装置へ通知される。なお、本例では、ＲＲＣメッセージによって追加の設定要素が通知されているが、これに限られない。例えば、その後のＰＤＣＣＨによって端末装置に宛てて送信されるＤＣＩによって、追加の設定要素が通知されてもよい。ＲＲＣメッセージを用いて追加の設定要素が送信される場合、一括して設定情報が端末装置に通知されるため、効率よく設定情報を端末装置に通知することができる。一方、ＲＲＣメッセージとは別個に追加の設定要素が送信される場合、端末装置の置かれた状況や無線通信システムにおける他の端末装置の状況等に応じて、適応的に追加の設定要素が変更されうる。一例において、基地局は、ＲＲＣメッセージで追加の設定要素を送信しながら、その後、必要に応じて、ＰＤＣＣＨによって、更新された追加の設定要素の情報を送信してもよい。端末装置は、Ｓ８０１のメッセージによって、事前に無線リソースが設定された状態（Configured grant状態）へと遷移する（Ｓ８０２）。その後、端末装置において送信対象データ（ユーザデータ又は制御データ）が発生すると（Ｓ８０３）、端末装置は、Ｓ８０１で通知された設定情報を用いて、そのデータを送信する（Ｓ８０４）。
【００３９】
以上のように、本実施形態では、繰り返し送信を実行する端末装置に対して、Configured grantが用いられる場合には追加の設定要素を用いた通信設定が実行され、Configured grantが用いられない場合には追加の設定要素を用いずに通信設定が実行される。これにより、事前に割り当てられた無線リソースで繰り返し送信が実行される場合の干渉の発生確率を低減し、又はその影響を低減することができる。
【００４０】
続いて、端末装置において使用するパラメータのセットの変更処理の流れの例について、図９を用いて説明する。なお、図９では、図８のような処理によって、端末装置にパラメータの複数のセットが通知されているものとする。本処理では、端末装置は、初期的に、パラメータの複数のセットのうち第１のパラメータのセットを使用するように設定されているものとする。なお、この初期的に使用するセットは、例えば図８のＳ８０１において又は別途ＰＤＣＣＨ等によってパラメータのセットが通知された際に基地局（制御装置）から指定されうる。端末装置は、この状態で送信対象データ（ユーザデータ又は制御データ）が発生すると（Ｓ９０１）、第１のパラメータのセットを用いて、そのデータを繰り返し送信する（Ｓ９０２）。その後、基地局は、端末装置に対して、使用するパラメータのセットの変更指示を送信する（Ｓ９０４）。なお、基地局は、例えば、端末装置からのパラメータのセットの変更要求を受信したこと（Ｓ９０３）に応じて、この変更指示を送信しうる。なお、このパラメータのセットの変更要求はなくてもよい。すなわち、基地局が、端末装置からの要求によらずに、通信品質や無線リソース等の理由に従って、端末装置が使用すべきパラメータのセットの変更を決定しうる。ここで、パラメータのセットの変更指示は、例えば、ＲＲＣメッセージや、ＰＤＣＣＨ（ＤＣＩ）を用いて基地局から端末装置へ送信される。また、パラメータのセットの変更要求は、ＰＵＣＣＨやＰＵＳＣＨによって送信されうる。その後、端末装置は、パラメータのセットの変更指示に従って、使用するパラメータのセットを変更する。ここで、変更後のパラメータのセットを第２のパラメータのセットとする。端末装置は、使用するパラメータのセットの変更を完了したことに応じて、その後の信号の送信を、第２のパラメータのセットに従って送信する。なお、端末装置は、１つのデータに関する一連の繰り返し送信の間に、パラメータのセットを変更してもよいし、１つのデータに関する一連の繰り返し送信が完了した後に、パラメータのセットを変更してもよい。
【００４１】
このようにパラメータの複数のセットを事前に端末装置へ通知しておき、その複数のセット間で、使用するパラメータのセットの切り替えを可能とすることにより、さらに干渉の影響を低減することができる。例えば、相互に類似しているパラメータのセットを使用している２つの端末装置が存在する場合に、その２つの端末装置のうちの一方の使用するパラメータのセットを変更することにより、これらの端末装置が送信した信号が相互に干渉することを防ぎ、又はその干渉の影響を抑制することができる。
【００４２】
発明は上記の実施形態に制限されるものではなく、発明の要旨の範囲内で、種々の変形・変更が可能である。
【図１】
2020150375.tif 000003
【図２】
2020150375.tif 000004
【図３】
2020150375.tif 000005
【図４】
2020150375.tif 000006
【図５】
2020150375.tif 000007
【図６】
2020150375.tif 000008
【図７】
2020150375.tif 000009
【図８】
2020150375.tif 000010
【図９】
2020150375.tif 000011